(57)【要約】【課題】カメラ本体にアクセサリ装置を装着した際、アクセサリ装置が当該カメラシステムに適合しないことを撮影者が容易に認識でき、それによる不適正なカメラ動作を防止できるカメラシステム、及びカメラの制御方法を提供する。【解決手段】カメラ本体１内に設けられ、複数の製造者識別コードが記憶されている第１の記憶手段２２と、アクセサリ装置１０内に設けられ、該アクセサリ装置１０の製造者を特定する製造者識別コードが記憶されている第２の記憶手段４２と、上記第２の記憶手段に記憶されている上記製造者識別コードと上記第１の記憶手段に記憶されている上記複数の製造者識別コードとを比較し、一致するか否かを判定する判定手段２１と、上記判定手段２１によって一致すると判定された場合に、カメラシステム１００を特定する図形、文字、または記号を表示する表示手段３０と、を具備することを特徴とする。【選択図】  図４
2005031438.tif 000002
【特許請求の範囲】
【請求項１】
カメラ本体と、該カメラ本体に着脱自在なアクセサリ装置とを具備するカメラシステムにおいて、
上記カメラ本体内に設けられ、複数のアクセサリ装置製造者に対応して用意された複数の製造者識別コードが記憶されている第１の記憶手段と、
上記アクセサリ装置内に設けられ、該アクセサリ装置の製造者を特定する製造者識別コードが記憶されている第２の記憶手段と、
上記第２の記憶手段に記憶されている上記製造者識別コードと上記第１の記憶手段に記憶されている上記複数の製造者識別コードとを比較し、上記第２の記憶手段に記憶されている上記製造者識別コードが上記第１の記憶手段に記憶されている上記複数の製造者識別コードのいずれかに一致するか否かを判定する判定手段と、
上記判定手段によって一致すると判定された場合に、カメラシステムを特定する図形、文字、または記号を表示する表示手段と、
を具備することを特徴とするカメラシステム。
【請求項２】
上記表示手段は、上記判定手段によって上記第２の記憶手段に記憶されている上記製造者識別コードが上記第１の記憶手段に記憶されている上記複数の製造者識別コードのいずれにも一致しないと判定された場合には、警告表示を行うことを特徴とする請求項１に記載のカメラシステム。
【請求項３】
ＣＰＵを含む交換レンズが装着可能なカメラの制御方法において、
上記交換レンズの装着完了を検知して該交換レンズと通信し、該交換レンズ側から該交換レンズの製造者識別コードを受信するステップと、
上記受信した製造者識別コードと上記カメラ内に予め用意された複数の製造者識別コードとを比較して、上記受信した交換レンズの製造者識別コードが、上記複数の製造者識別コードのいずれかに一致するか否かを判定するステップと、
上記受信した製造者識別コードが上記複数の製造者識別コードのいずれかに一致する場合に、上記交換レンズが当該カメラに適合するものであることを示す表示を行うステップと、
を具備することを特徴とするカメラの制御方法。
【請求項４】
上記受信した製造者識別コードが上記複数の製造者識別コードのいずれにも一致しない場合に警告動作を行うステップを具備することを特徴とする請求項３に記載のカメラの制御方法。
【発明の詳細な説明】
【０００１】
【発明の属する技術分野】
本発明は、カメラシステム、及びカメラの制御方法、詳しくは、カメラ本体、該カメラ本体に着脱可能なアクセサリ装置からなるカメラシステム、及びカメラの制御方法に関する。
【０００２】
【従来の技術】
近年、一眼レフカメラにおいては、高度な電子化が進んでおり、交換レンズや外部ストロボ装置等のアクセサリ装置にもマイクロコンピュータ（ＣＰＵ）が内蔵され、装着するカメラ本体のメインＣＰＵとデータ通信を行いながら、撮影動作を制御するカメラシステムが周知である。
【０００３】
ところで、このようなカメラシステムにおいては、カメラ本体に装着されたアクセサリ装置が適正であるか、つまり、適正に動作することが保証された、正規のライセンス契約を結んだ製造者のアクセサリ装置であるか否かを判定する必要がある。これは、あるメーカが製造したカメラ本体に、別のメーカが製造したアクセサリ装置を装着する場合もあるため、カメラ本体を製造したメーカで保証できない、即ちライセンス契約を結んでいない製造者のアクセサリ装置、所謂海賊品のアクセサリ装置が装着された際には、適正なカメラ動作を実行できない虞があり、また、カメラ本体を破損させてしまう虞もあるためである。
【０００４】
このような事情に鑑みて、特許文献１のカメラシステムでは、カメラ本体に、アクセサリ装置が装着された際、アクセサリ装置から読み取ったデータに、当該カメラシステムに適合するアクセサリ装置であることを示すチェックデータがあるか否かを判定することにより、アクセサリ装置が、適正なものであるかを判別する方法が開示されている。
【０００５】
また、特許文献２のカメラシステムでは、カメラ本体に装着される付属機器に、カメラ本体から信号を送信して、上記付属機器からの返信が正しいか否かを判定し、異常を検出した場合には、カメラの各種動作を禁止する方法が開示されている。
【０００６】
【特許文献１】
特開平２−１１０４３９号公報
【０００７】
【特許文献２】
特許第３３８２３２８号公報
【０００８】
【発明が解決しようとする課題】
しかしながら、上記特許文献１及び特許文献２に開示されたカメラシステムでは、装着されたアクセサリ装置、または付属機器がカメラ本体に適合する製品であるか否かを撮影者に明確に告知する手段がないため、撮影者は、実際に撮影動作をしたときに、カメラが正しく動作する、または正しく動作しないことで、装着されたアクセサリ装置、または付属品が適合製品であるか否かを認識することとなり、撮影者にとって、非常に使い勝手が悪いといった問題がある。
【０００９】
本発明は、上記問題点に鑑みてなされたものであり、その目的は、カメラ本体にアクセサリ装置を装着した際、アクセサリ装置が当該カメラシステムに適合しないことを撮影者が容易に認識でき、それによる不適正なカメラ動作を防止できるカメラシステム、及びカメラの制御方法を提供するにある。
【００１０】
【課題を解決するための手段、及び作用】
上記の目的を達成するために本発明によるカメラシステムは、カメラ本体と、該カメラ本体に着脱自在なアクセサリ装置とを具備するカメラシステムにおいて、上記カメラ本体内に設けられ、複数のアクセサリ装置製造者に対応して用意された複数の製造者識別コードが記憶されている第１の記憶手段と、上記アクセサリ装置内に設けられ、該アクセサリ装置の製造者を特定する製造者識別コードが記憶されている第２の記憶手段と、上記第２の記憶手段に記憶されている上記製造者識別コードと上記第１の記憶手段に記憶されている上記複数の製造者識別コードとを比較し、上記第２の記憶手段に記憶されている上記製造者識別コードが上記第１の記憶手段に記憶されている上記複数の製造者識別コードのいずれかに一致するか否かを判定する判定手段と、上記判定手段によって一致すると判定された場合に、カメラシステムを特定する図形、文字、または記号を表示する表示手段と、を具備することを特徴とし、また、上記表示手段は、上記判定手段によって上記第２の記憶手段に記憶されている上記製造者識別コードが上記第１の記憶手段に記憶されている上記複数の製造者識別コードのいずれにも一致しないと判定された場合には、警告表示を行うことを特徴とする。
【００１１】
また、本発明によるカメラの制御方法は、ＣＰＵを含む交換レンズが装着可能なカメラの制御方法において、上記交換レンズの装着完了を検知して該交換レンズと通信し、該交換レンズ側から該交換レンズの製造者識別コードを受信するステップと、上記受信した製造者識別コードと上記カメラ内に予め用意された複数の製造者識別コードとを比較して、上記受信した交換レンズの製造者識別コードが、上記複数の製造者識別コードのいずれかに一致するか否かを判定するステップと、上記受信した製造者識別コードが上記複数の製造者識別コードのいずれかに一致する場合に、上記交換レンズが当該カメラに適合するものであることを示す表示を行うステップと、を具備することを特徴とし、また、上記受信した製造者識別コードが上記複数の製造者識別コードのいずれにも一致しない場合に警告動作を行うステップを具備することを特徴とする。
【００１２】
【発明の実施の形態】
以下、図示の実施の形態によって本発明を説明する。尚、本実施の形態においては、アクセサリ装置は、交換レンズを例に挙げて説明する。
図１は、本発明の実施の形態を示すカメラシステムにおけるカメラ本体及び該カメラ本体に着脱可能な交換レンズを示した斜視図である。尚、以下の説明において、レンズ光軸Ｏの前方を被写体側とし、後方を結像面側とする。また、本発明における交換レンズを装着するマウントは、所謂バヨネットマウントが用いられている。
【００１３】
図１に示すように、カメラ本体１の前面中央部には、交換レンズ１０を装着するためのマウント装着部７が前方に突出して形成されており、該マウント装着部７の前面７ａには、光軸Ｏに対し直角な水平な面からなるマウント面２ａを有する円環状のカメラ側マウント部２が、３本のビス３により固定されている。
【００１４】
そして、カメラ側マウント部２のマウント面（以下、カメラ側マウント面と称す）２ａの右側部（図１において）には、交換レンズ１０の係合穴１２に嵌入する連動ピン４が、マウント部２の内部に埋設された押圧バネ４ａ（図２参照）に付勢されて前方に突出して配設されている。
【００１５】
さらに、カメラ側マウント部２の内周縁部の等間隔位置には、交換レンズ１０の３つのバヨネット爪部１３がスライド嵌入する３つのバヨネット爪係合部５が穿設されている。また、カメラ側マウント部２によって囲まれた領域で、マウント装着部７の前面７ａには、交換レンズ１０に形成された複数のレンズ側端子群１４に接触（接続）する、接触面が半球状の前方に突出した複数のカメラ側端子群６が配設されている。
【００１６】
また、マウント装着部７の右側面には、交換レンズ１０の装着解除釦８が配設されている。この解除釦８は、レンズ装着状態で、交換レンズ１０の係合穴１２内で前方に突出した連動ピン４を、レンズを外す際、交換レンズ１０の係合穴１２から離間させるためのものである。
【００１７】
さらに、カメラ本体１の上表面部には、装着された交換レンズ１０が当該カメラシステムに適合するか否かを表示するための表示手段である表示パネル１５が配されている。
【００１８】
交換レンズ１０は、複数のレンズ群１０ａを内部に有しており、その後端面には、円環状のレンズ側マウント部１１が形成されている。このレンズ側マウント部１１は、光軸Ｏに対し直角な面からなるバヨネット面１１ａを有しており、該バヨネット面１１ａの外周縁には、バヨネット面１１ａと同一平面で形成された外方に突出した３つの上記バヨネット爪部１３が形成されている。
【００１９】
また、レンズ側マウント部１１には、交換レンズ１０をカメラ本体１に装着した際、連動ピン４が嵌入する上記係合穴１２がカメラ側マウント面２ａから突出する連動ピン４の突出量よりも前方に深く穿設されており、さらに、レンズ側バヨネット面１１ａには、複数の上記カメラ側端子群６とスライド接触（接続）する複数の上記レンズ側端子群１４が配設されている。尚、この複数のレンズ側端子群１４は、レンズ側バヨネット面１１ａと同一平面となるように形成されている。
【００２０】
このように構成されたカメラ本体１に、交換レンズ１０を装着するには、まず、交換レンズ１０の３つのバヨネット爪部１３をそれぞれカメラ本体１の３つのバヨネット爪係合部５間に嵌合させる。このとき、連動ピン４は、レンズ側マウント部１１に押圧され後退する。
【００２１】
次に、交換レンズ１０を光軸Ｏを中心として一方向に停止するまで回転させる。すると、３つのバヨネット爪部１３が３つのバヨネット爪係合部５内に係合した位置にてレンズは固定され装着される。この間、連動ピン４は、レンズ側マウント部１１に押圧されながら後退しており、その後、レンズ装着位置で係合穴１２に嵌入する。この連動ピン４が係合穴１２に嵌入する直前の状態から嵌入した状態で、カメラ本体１に配設された複数のカメラ側端子群６は、交換レンズ１０に配設された複数のレンズ側端子群１４に正しく接触する。このようにして、交換レンズ１０は、カメラ本体１に装着される。
【００２２】
一方、交換レンズ１０をカメラ本体１から取り外す際には、まず、上記装着解除釦８を押すと、連動ピン４は、押圧バネ４ａの弾性に抗して後方に移動され、交換レンズ１０の係合穴１２から脱出する。
【００２３】
そして、上記解除釦８を押しながら交換レンズ１０を装着したときと逆の方向に回転させる。これにより、３つのバヨネット爪部１３は、３つのバヨネット爪係合部５内を装着時とは逆の方向にスライドし、３つのバヨネット爪係合部５から離間するので、交換レンズ１０を光軸方向に引くと、カメラ本体１との装着は解除される。このようにして、交換レンズ１０は、カメラ本体１から外される。
【００２４】
図２は、図１のカメラ本体１内の電気回路の構成を示すブロック図である。
【００２５】
図２に示すように、カメラ本体１の電気回路は、カメラ本体１全体の動作を制御する第１のＣＰＵであるカメラＣＰＵ２１、後述する図９に示すような複数の製造者識別コードが記憶されているカメラＲＯＭ２２（第１の記憶手段）、電圧安定化回路２４を有する第１の電気回路２０と、電源電池２３ａまたはＡＣアダプタ（図示されず）等で構成された電源回路２３と、プッシュスイッチからなり、上記押圧バネ４ａによって付勢された連動ピン４の状態を検知する検知スイッチ２５と、複数の端子からなる上記カメラ側端子群６とで、その主要部が構成されている。さらに、レンズの適合／不適合を表示するための液晶表示パネル１５（図１参照）とその駆動回路を含む表示手段である表示回路３０が接続されている。
【００２６】
カメラＣＰＵ２１は、電源端子Ｖｃｃ１，電圧安定化回路制御用端子ＶＣＯＮＴ，レンズ検出端子ＬＳＤＴＣＴ，レンズリセット端子ＬＳＲＳＴ、レンズＣＰＵ起動応答端子ＬＳＬ２Ｂ１，通信要求端子ＬＳＢ２Ｌ１，通信データ端子ＬＳＤＩＯ１，通信クロック端子ＬＳＣＬＫ１，アダプタ用通信端子ＬＳＢ２Ａ１，ロックピンスイッチ（ＳＷ）端子ＬＰＳＷ，ＧＮＤ端子を有している。また、カメラＣＰＵ２１は、後述するが、上記レンズリセット端子ＬＳＲＳＴから交換レンズ１０のレンズＣＰＵ４１（図３参照）に出力するリセット信号を解除する際に用いる図示しないタイマを有している。また、カメラＣＰＵ２１は、後述するが、レンズＲＯＭ４２（図３参照）に記憶されている製造者識別コードとカメラＲＯＭ２２に記憶されている複数の製造者識別コードとを比較し、レンズＲＯＭ４２に記憶されている製造者識別コードがカメラＲＯＭ２２に記憶されている複数の製造者識別コードのいずれかに一致するか否かを判定する判定手段を構成している。
【００２７】
カメラ側端子群６は、交換レンズ１０に電源を供給するための第１の電源端子２６と、第１の接地端子２７と、交換レンズ１０の装着を検出する第１の信号端子２８ａと、後述する交換レンズ１０のレンズＣＰＵ４１（図３参照）にリセット信号を出力するための第２の信号端子２８ｂからなるカメラ側信号端子２８と、第１の通信端子２９ａ、第２の通信端子２９ｂ、第３の通信端子２９ｃ、第４の通信端子２９ｄ、第５の通信端子２９ｅからなり、カメラＣＰＵ２１とレンズＣＰＵ４１との間で相互通信するためのカメラ側通信端子２９とで構成されている。
【００２８】
電源回路２３のカメラ側電源ラインとカメラ側接地ライン間には、カメラＲＯＭ２２、カメラＣＰＵ２１、表示回路３０、電圧安定化回路２４がそれぞれ接続されており、また、検知スイッチ２５の固定端子もカメラ側接地ラインに接続されている。
【００２９】
カメラＣＰＵ２１は、その端子Ｖｃｃ１が上記カメラ側電源ラインに接続され、上記端子ＶＣＯＮＴは電圧安定化回路２４の入力端に接続され、上記端子ＬＳＤＴＣＴは第１の信号端子２８ａに接続され、上記端子ＬＳＲＳＴは第２の信号端子２８ｂに接続され、上記ＬＳＬ２Ｂ１端子は第１の通信端子２９ａに接続され、上記ＬＳＢ２Ｌ１端子は第２の通信端子２９ｂに接続され、上記ＬＳＤＩＯ１端子は第３の通信端子２９ｃに接続され、上記ＬＳＣＬＫ１端子は第４の通信端子２９ｄに接続され、上記ＬＳＢ２Ａ１端子は第５の通信端子２９ｅに接続され、上記ＬＰＳＷ端子は検知スイッチ２５に接続されており、そして、上記ＧＮＤ端子は上記カメラ側接地ラインに接続されている。
【００３０】
カメラＲＯＭ２２はカメラＣＰＵ２１に接続されており、また、電圧安定化回路２４は、その出力端が上記第１の電源端子２６に接続されており、上記第１の接地端子２７はカメラ側接地ラインに接続されている。
【００３１】
カメラＲＯＭ２２は、不揮発性のメモリ等で構成されており、後述する図９に示すような交換レンズ１０のメーカＩＤ（製造者識別コード）を認証するための複数の製造者識別コード、及び後述する図１０（ａ）〜（ｃ）に示すような、ＣＰＵ２１による、製造者の判定結果を液晶パネル１５に表示するためのデータを記憶（内蔵）している。尚、このカメラＲＯＭ２２は、ＣＰＵ２１内にあっても良い。
【００３２】
電圧安定化回路２４は、例えばＤＣ／ＤＣコンバータで構成されており、ＣＰＵ２１の上記ＶＣＯＮＴ端子に制御され、電源回路２３から出力された電圧を安定化し、この安定化した電圧を第１の電源端子２６を介して交換レンズ１０に電源電圧として供給する。
【００３３】
連動ピン４は、カメラ本体１に交換レンズ１０が装着されていない場合には、押圧バネ４ａに付勢されて、前端部がカメラ側マウント面２ａから前方に突出しており、後端部は検知スイッチ２５から前方に離間した位置にある。よって、検知スイッチ２５のプッシュスイッチは、オフ状態となっている。
【００３４】
図３は、図１の交換レンズ１０の電気回路の構成を示すブロック図である。
【００３５】
図３に示すように、交換レンズ１０の電気回路は、交換レンズ１０全体の動作を制御するレンズＣＰＵ４１、製造者識別コード等が記憶されているレンズＲＯＭ４２（第２の記憶手段）、モータ駆動回路４３、電圧変換回路４４を有する第２の電気回路４０で、その主要部が構成されている。
【００３６】
レンズＣＰＵ４１は、電源端子Ｖｃｃ２，リセット端子ＲＥＳＥＴ、レンズＣＰＵ起動出力端子ＬＳＬ２Ｂ２，通信出力端子ＬＳＢ２Ｌ２，通信データ端子ＬＳＤＩＯ２，通信クロック端子ＬＳＣＬＫ２，アダプタ用通信端子ＬＳＢ２Ａ２，ＧＮＤ端子を有している。
【００３７】
レンズ側端子群１４は、レンズＣＰＵ４１に電源を供給するための第２の電源端子４６と、第２の接地端子４７と、交換レンズ１０の装着を検出するための第３の信号端子４８ａ、カメラＣＰＵ２１の上記レンズリセット端子ＬＳＲＳＴからのリセット信号を入力するための第４の信号端子４８ｂからなるレンズ側信号端子４８と、第６の通信端子４９ａ、第７の通信端子４９ｂ、第８の通信端子４９ｃ、第９の通信端子４９ｄ、第１０の通信端子４９ｅからなり、カメラＣＰＵ２１とレンズＣＰＵ４１との間で相互通信するためのレンズ側通信端子４９とで、構成されている。
【００３８】
尚、レンズ側端子群１４は、交換レンズ１０をカメラ本体１に装着した際には、第２の電源端子４６に第１の電源端子２６が、第２の接地端子４７に第１の接地端子２７が、レンズ側信号端子４８にカメラ側信号端子２８が、レンズ側通信端子４９にカメラ側通信端子２９が、後述する図４、図５に示すようにそれぞれ接触する。
【００３９】
モータ駆動回路４３は、第２の電源端子４６に接続されたレンズ側電源ラインと第２の接地端子４７、第３の信号端子４８ａに接続されたレンズ側接地ライン間に接続されている。
【００４０】
レンズＣＰＵ４１の端子Ｖｃｃ２は、電圧変換回路４４を介してレンズ側電源ラインに接続され、上記ＲＥＳＥＴ端子は第４の信号端子４８ｂに接続され、上記ＬＳＬ２Ｂ２端子は第６の通信端子４９ａに接続され、上記ＬＳＢ２Ｌ２端子は第７の通信端子４９ｂに接続され、上記ＬＳＤＩＯ２端子は第８の通信端子４９ｃに接続され、上記ＬＳＣＬＫ２端子は第９の通信端子４９ｄに接続され、上記ＬＳＢ２Ａ２端子は第１０の通信端子４９ｅに接続され、そして、上記ＧＮＤ端子は上記レンズ側接地ラインに接続されている。
【００４１】
レンズＲＯＭ４２は、レンズＣＰＵ４１の端子Ｖｃｃ２とレンズ側接地ライン間に接続され、その出力端はレンズＣＰＵ４１に接続されている。
【００４２】
レンズＲＯＭ４２は、不揮発性のメモリ等で構成されており、後述する図８に示すような交換レンズ１０のレンズ種別，レンズＩＤ，メーカＩＤ（製造者識別コード），ズーム分割数，開放Ｆナンバ，最小Ｆナンバ等のデータを記憶（内蔵）している。尚、このレンズＲＯＭ４２は、レンズＣＰＵ４１内にあっても良い。
【００４３】
モータ駆動回路４３は、交換レンズ１０に内蔵された図示しないモータを駆動する回路であって、ＡＦ制御用の複数のレンズ群１０ａ（図１参照）を光軸方向に移動させてＡＦ制御を行わせるものである。
【００４４】
電圧変換回路４４は、例えば電圧レギュレータ回路で構成されており、カメラ本体１の電圧安定化回路２４から供給された電力を、レンズＣＰＵ４１供給用に変換して、該レンズＣＰＵ４１及びレンズＲＯＭ４２に変換した電力を供給する回路である。
【００４５】
このように第２の電気回路４０を構成することで、モータ駆動回路４３には、電圧変換回路４４を介さずにカメラ本体１の電源回路２３（図２参照）からの電源が供給され、レンズＣＰＵ４１及びレンズＲＯＭ４２の制御には、電圧変換回路４４を介して電源が供給されるようになっている。
【００４６】
次に、このように構成されたカメラ本体１と交換レンズ１０を用いて本発明の実施の形態であるカメラシステム１００の交換レンズ１０への電源供給方法について説明する。
【００４７】
図４は、交換レンズ１０を装着後、連動ピン４が係合穴１２に嵌入する直前の状態を示した、図２のカメラ本体１及び図３の交換レンズ１０からなるカメラシステムの電気回路の構成を示すブロック図、図５は、交換レンズ１０を装着後、連動ピン４が係合穴１２に嵌入した後の状態を示したカメラシステムの電気回路の構成を示すブロック図、図６は、交換レンズ１０を装着する前後のカメラ本体１のＣＰＵ２１の動作を示したタイミングチャートである。
【００４８】
図６に示すように、カメラシステム１００では、カメラ本体１への交換レンズ１０の装着開始状態、即ちカメラ本体１の３つのバヨネット爪係合部５（図１参照）間に、交換レンズ１０の３つのバヨネット爪部１３（図１参照）を嵌合させ、かつ、連動ピン４が交換レンズ１０のレンズ側マウント部１１に押圧されることにより、該連動ピン４が、カメラ側マウント部２内に後退した状態においては、図４に示すように、連動ピン４の後端部が、検知スイッチ２５を押圧することにより、検知スイッチ２５がオフからオンの状態となる。このオン状態で、カメラＣＰＵ２１の上記ロックピンスイッチ端子ＬＰＳＷがオフからオンに切り替わる。
【００４９】
上記ＬＰＳＷがオンになったことに応じて、カメラＣＰＵ２１は、図６に示すようにハイインピーダンス状態の上記レンズリセット端子ＬＳＲＳＴからリセット信号であるロー信号を出力する。尚、この状態では、カメラ側端子群６とレンズ側端子群１４は、まだ接触していないため、上記レンズリセット端子ＬＳＲＳＴからのリセット信号がレンズＣＰＵ４１に送られることはない。
【００５０】
次に、カメラ本体１に、交換レンズ１０が装着完了となる直前の状態、即ち、交換レンズ１０を一方向にスライド回転させ、レンズ側マウント部１１が連動ピン４を押圧しながら回動し、図４に示すように、検知スイッチ２５がオン状態でかつ連動ピン４が係合穴１２に嵌入する直前の状態で、カメラ側端子群６とレンズ側端子群１４は接触する。このとき、カメラ側端子群６の第２の信号端子２８ｂとレンズ側端子群１４の第４の信号端子４８ｂは接触するため、カメラＣＰＵ２１の上記レンズリセット端子ＬＳＲＳＴから出力され続けているリセット信号は、レンズＣＰＵ４１のリセット端子ＲＥＳＥＴに入力されるので、レンズＣＰＵ４１はリセットされる。
【００５１】
また、カメラ側端子群６の第１の信号端子２８ａとレンズ側端子群１４の第３の信号端子４８ａが接触すると、該第１の信号端子２８ａ及び第３の信号端子４８ａはＧＮＤに落ちた状態となる。このＧＮＤ状態を第１の信号端子２８ａに接続されたカメラＣＰＵ２１のレンズ検出端子ＬＳＤＴＣＴを介して検出すると、カメラＣＰＵ２１は、上記電圧安定化回路制御用端子ＶＣＯＮＴに動作信号を出力する。このことにより、上記端子ＶＣＯＮＴに電圧安定化回路２４を介して接続されたカメラ側端子群６の第１の電源端子２６に、電源回路２３から、例えば４．２Ｖの動作電圧が供給され始める。即ち、レンズＣＰＵ４１にリセット信号を出力している間に、電源を供給する。
【００５２】
次に、カメラ本体１に、交換レンズ１０が装着完了した状態、即ち、３つのバヨネット爪係合部５内に交換レンズ１０の３つのバヨネット爪部１３が係合し、カメラ本体１に交換レンズ１０が固定され、図５に示すように、連動ピン４が係合穴１２に嵌入した状態になると、該連動ピン４は、押圧バネ４ａによって係合穴１２内に突出するため、検知スイッチ２５は本発明におけるオンからオフ状態となる。よって、カメラＣＰＵ２１のロックピンスイッチ端子ＬＰＳＷは、図６に示すようにオンからオフ状態に変化する。
【００５３】
ロックピンスイッチ端子ＬＰＳＷのオフ状態を受けて、カメラＣＰＵ２１は、図示しないタイマにより、スイッチのチャタリング時間を考慮して設定された所定時間を計時した後、レンズリセット端子ＬＳＲＳＴから出力されているリセット信号を解除する。即ち、レンズＣＰＵ４１のリセット状態を解除する。これにより、レンズＣＰＵ４１は作動を開始する。
【００５４】
このように、本実施の形態では、カメラＣＰＵ２１によるレンズＣＰＵ４１のリセットが行われた後に、レンズＣＰＵ４１への電源供給が行われるようになっている。
【００５５】
次に、本発明の実施の形態を示すカメラシステム１００において、カメラ本体１に装着された交換レンズ１０の製造者を識別する方法について図５乃至図９を用いて説明する、
図７は、図２のカメラ本体１に図３の交換レンズ１０を装着した後の交換レンズ１０の認証動作を、ＣＰＵ２１の動作を中心にして示したフローチャート、図８は、図３の交換レンズ１０のレンズＲＯＭ４２に記憶された種々のデータを示した図表、図９は、図２のカメラ本体１のカメラＲＯＭ２２に記憶された複数の製造者識別コード（メーカＩＤテーブル）を示した図表である。
【００５６】
図７に示すように、先ずステップＳ１では、カメラＣＰＵ２１は、レンズリセット端子ＬＳＲＳＴ（図５参照）から出力されているリセット信号を解除した後、図６に示すように、装着完了から所定時間ｔ経過後、通信要求端子ＬＳＢ２Ｌ１から通信要求信号であるハイ（Ｈ）信号をレンズＣＰＵ４１に出力して、ステップＳ２に移行する。
【００５７】
ステップＳ２では、ステップＳ１で、上記端子ＬＳＢ２Ｌ１から通信要求信号を出力したことを受けて、カメラＣＰＵ２１のレンズＣＰＵ起動応答端子ＬＳＬ２Ｂ１がハイ（Ｈ）レベルになったか否か、即ち、レンズＣＰＵ４１からの応答があったか否か、詳しくは、レンズＣＰＵ４１のレンズＣＰＵ起動出力端子ＬＳＬ２Ｂ２から出力された起動信号が、該端子ＬＳＬ２Ｂ１に入力されたか否かを判定する。該端子ＬＳＬ２Ｂ１がハイ（Ｈ）レベルになっていれば、ステップＳ３に移行し、ハイ（Ｈ）レベルでなければ、ステップＳ７に分岐する。
【００５８】
ステップＳ７では、上記端子ＬＳＢ２Ｌ１からの出力を受けて、上記端子ＬＳＬ２Ｂ１がハイ（Ｈ）レベルになるまでの時間を計時する。この時間が規定した所定時間を経過していなければステップＳ２に戻り、経過していればステップＳ８に移行する。
【００５９】
ステップＳ３では、上記端子ＬＳＬ２Ｂ１がハイ（Ｈ）レベルになったことにより、カメラＣＰＵ２１とレンズＣＰＵ４１は相互通信可能状態となる。よって、カメラＣＰＵ２１とレンズＣＰＵ４１との間でデータ通信が行われる。このデータ通信は、所謂一般的に知られているシリアル通信である。図６に示すように、カメラＣＰＵ２１の通信クロック端子ＬＳＣＬＫ１から通信クロック信号が出力され、その後、通信データ端子ＬＳＤＩＯ１から通信データをレンズＣＰＵ４１に出力する。この出力を受けて、レンズＣＰＵ４１は、通信データ端子ＬＳＤＩＯ２から、レンズＲＯＭ４２（図３参照）に記憶されている、図８に示すような、レンズ種別、レンズＩＤ、メーカＩＤ（製造者識別コード）、ズーム分割数、開放ＦＮｏ、最小ＦＮｏ等のレンズデータをカメラＣＰＵ２１の上記通信データ端子ＬＳＤＩＯ１に出力する。
【００６０】
ここで、図８のレンズＲＯＭ４２に記憶されているデータについて説明すると、上記レンズ種別はレンズが具備する機能を表すデータ、上記レンズＩＤはレンズの機種及び個体を識別するためのデータ、上記メーカＩＤ（製造者識別コード）はレンズの製造者を識別するためのデータ、上記ズーム分割数はレンズのズームエンコーダの分割数を表すデータ、上記開放ＦＮｏは各ズーム位置でのレンズの開放絞り値を示すデータ、上記最小ＦＮｏは各ズーム位置でのレンズの最小絞り値を示すデータのことである。また、バイト長は、データの大きさを示しており、さらに、上記レンズ種別、レンズＩＤ、ズーム分割数、開放ＦＮｏ、最小ＦＮｏは、撮影動作に用いられるデータである。
【００６１】
レンズＣＰＵ４１からカメラＣＰＵ２１の上記通信データ端子ＬＳＤＩＯ１に各種データを出力後、ステップＳ４に移行する。
【００６２】
ステップＳ４では、カメラＣＰＵ２１が上記通信データ端子ＬＳＤＩＯ１に入力された各種レンズデータの内、上記メーカＩＤ（製造者識別コード）をカメラＲＯＭ２２（図２参照）に記憶されている、図９に示す複数のメーカＩＤ（製造者識別コード）テーブルと参照し、ステップＳ５に移行する。このメーカＩＤテーブルには、カメラＣＰＵ２１により適正にカメラ動作を制御することができる交換レンズの製造者リストが入力されている。
【００６３】
ステップＳ５では、カメラＲＯＭ２２内の複数のメーカＩＤ（製造者識別コード）のいずれかに、レンズＲＯＭ４２より入力したメーカＩＤ（製造者識別コード）が合致するか否かを判定（認証）する。合致しておれば、ステップＳ５１に移行し、該ステップＳ５１では、カメラ本体１に装着された交換レンズが、当該カメラシステムに適合する（ライセンス契約済みの）交換レンズであることを、図１０（ａ）（ｂ）（ｃ）に示すような形態で表示回路３０を介して表示パネル１５（図１参照）に所定時間（例えば１秒）表示する。この液晶パネル１５で表示されるものは、当該カメラシステムに適合する交換レンズであることを表す図１０（ｂ）に示すような図形、及び図１０（ａ）に示すような文字である。また、図１０（ｃ）に示すように、製造者（レンズメーカ名）を表示しても良い。さらに、図示しないが、ライセンス契約されていることを表す統一ロゴマークであっても良い。尚、この表示のためのデータは、カメラＲＯＭ２２に予め記憶されたデータを読み出して使用する。その後、ステップＳ６に移行し、該ステップＳ６では、カメラ本体１のカメラＣＰＵ２１が交換レンズ１０のレンズＣＰＵ４１を制御して行う通常のカメラ動作が行われる。
【００６４】
ステップＳ５に戻って、一方、カメラＲＯＭ２２内の複数のメーカＩＤ（製造者識別コード）のいずれかに、レンズＲＯＭ４２より入力したメーカＩＤ（製造者識別コード）が合致してなければ、ステップＳ８に分岐し、該ステップＳ８では、カメラ本体１の液晶パネル１５にレンズ不適合警告（警告動作）を行って、ユーザが装着した交換レンズは、本カメラ本体１では使用できない旨を通知する。尚、このレンズ不適合警告は、カメラ本体からＢＥＥＰ音等を発することにより行われても良い。その後、ステップＳ９に移行し、ステップＳ９では、カメラ本体１の動作を停止させる。
【００６５】
このように、本発明の実施の形態を示すカメラシステム、及びカメラの制御方法では、カメラ本体１と交換レンズ１０の相互通信により、ＣＰＵ２１は、レンズＲＯＭ４２に記憶されたメーカＩＤコード（製造者識別コード）を読み込んで、カメラＲＯＭ２２に記憶されている複数のメーカＩＤ（製造者識別コード）と参照することにより、装着された交換レンズが適正な（ライセンス契約済みの）交換レンズであるか否かを照合、認証し、照合後、適正であれば当該カメラシステムに適合した交換レンズであることを示す表示を所定時間行った後、カメラ動作を行うようにした。
【００６６】
また、上述したようにカメラ本体１のカメラＣＰＵ２１が行う、連動ピン４を用いた検知スイッチ２５のオン検出により、確実にレンズＣＰＵ４１のリセットを行い、その後、カメラ本体１からレンズＣＰＵ４１への電源供給が行われるようした。
【００６７】
これにより、カメラ本体に交換レンズを装着した際に、電源投入直後の電圧不安定状態によるレンズＣＰＵ４１の不具合を防止することができ、また、不適合な交換レンズを装着することにより、該交換レンズが不適正な動作をすることを防止することができる。
【００６８】
尚、本実施の形態においては、カメラシステムを構成するアクセサリ装置は、交換レンズを例に挙げて説明したが、これに限らず、外部ストロボ装置でも良く、さらに、カメラ本体に着脱自在なものであれば、どのようなものに適用しても良いということは、云うまでもない。
【００６９】
【発明の効果】
以上、述べたように本発明によれば、カメラ本体にアクセサリ装置を装着した際、当該カメラシステムに適合しないアクセサリ装置であることを撮影者が容易に認識でき、それによる不適正なカメラ動作を防止できるカメラシステム、及びカメラの制御方法を提供することができる。
【図面の簡単な説明】
【図１】本発明の一実施の形態を示すカメラシステムにおけるカメラ本体及び該カメラ本体に着脱可能な交換レンズを示した斜視図、
【図２】図１中のカメラ本体の電気回路の構成を示すブロック図、
【図３】図１中の交換レンズの電気回路の構成を示すブロック図、
【図４】交換レンズを装着時、連動ピンが係合穴に嵌入する直前の状態を示すカメラ本体及び交換レンズの電気回路の構成を示すブロック図、
【図５】交換レンズを装着後、連動ピンが係合穴に嵌入した後の状態を示すカメラ本体及び交換レンズの電気回路の構成を示すブロック図、
【図６】交換レンズを装着する前後でのカメラ本体のＣＰＵの動作を示したタイミングチャート、
【図７】カメラ本体に交換レンズを装着した後の交換レンズの認証動作を、ＣＰＵの動作を中心にして示したフローチャート、
【図８】図３中の交換レンズのレンズＲＯＭに記憶された種々のデータを示した図表、
【図９】図２中のカメラ本体のカメラＲＯＭに記憶された複数の製造者識別コードを示した図表、
【図１０】図１中の液晶パネルに表示されるカメラＣＰＵによる製造者識別の判定結果の表示例を示した図。
【符号の説明】
１…カメラ本体
１０…交換レンズ（アクセサリ装置）
１５…表示パネル（表示手段）
２１…カメラＣＰＵ（判定手段）
２２…カメラＲＯＭ（第１の記憶手段）
４２…レンズＲＯＭ（第２の記憶手段）
１００…カメラシステム
【図１】
2005031438.tif 000003
【図２】
2005031438.tif 000004
【図３】
2005031438.tif 000005
【図４】
2005031438.tif 000006
【図５】
2005031438.tif 000007
【図６】
2005031438.tif 000008
【図７】
2005031438.tif 000009
【図８】
2005031438.tif 000010
【図９】
2005031438.tif 000011
【図１０】
2005031438.tif 000012